(57)【要約】【課題】無宛名の大量の広告チラシ，情報紙，ＣＤ等からなる情報媒体の戸別の配達に適用することができ、情報媒体の配達の確実性，正確性を裏付けできるようにする。【解決手段】郵便受，新聞受等に情報媒体Ｄを投入可能な配達先Ｈが整理された配達台帳を作成する段階Ｓ１と、配達依頼者からの配達依頼を受付けて配達台帳から配達先Ｈを特定した配達順路帳を作成する段階Ｓ３と、配達依頼者からの配達依頼を受付けて配達する情報媒体Ｄに識別番号を付してパッキングする段階Ｓ５と、識別番号の読取りと位置情報の入手とこれ等の記録との機能を備えた端末機２を携行した配達員Ｍが配達順路帳に基づいて各配達先Ｈで識別番号の読取りと位置情報の入手とを行ってパッキングされた情報媒体Ｄを配達する段階Ｓ６と、端末機２に記録された識別番号の読取りと位置情報の入手との記録を出力して情報媒体Ｄの配達を確認する段階Ｓ７とを実施する。【選択図】        図１
2010023930.tif 000002
【特許請求の範囲】
【請求項１】
郵便受，新聞受等に情報媒体を投入可能な配達先が整理された配達基礎台帳を作成する段階と、配達依頼者からの配達依頼を受付けて配達基礎台帳から配達先を特定した配達帳を作成する段階と、配達依頼者からの配達依頼を受付けて配達する情報媒体に識別番号を付してパッキングする段階と、識別番号の読取りと位置情報の入手とこれ等の記録との機能を備えた端末機を携行した配達員が配達帳に基づいて各配達先で識別番号の読取りと位置情報の入手とを行ってパッキングされた情報媒体を配達する段階と、端末機に記録された識別番号の読取りと位置情報の入手との記録を出力して情報媒体の配達を確認する段階とを実施することを特徴とする情報媒体の配達方法。
【請求項２】
請求項１の情報媒体の配達方法において、配達帳を作成する段階で配達帳として配達先に配達順位を付した配達順路帳を作成することを特徴とする情報媒体の配達方法。
【請求項３】
請求項１または２の情報媒体の配達方法において、配達基礎台帳を作成する段階で配達先を地域ごとに整理し、配達帳を作成する段階で配達先を地域ごとに特定することを特徴とする情報媒体の配達方法。
【請求項４】
請求項１〜３のいずれかの情報媒体の配達方法において、情報媒体を配達する段階で識別番号の読取りの際の時刻をも記録することを特徴とする情報媒体の配達方法。
【請求項５】
請求項１〜４のいずれかの情報媒体の配達方法において、情報媒体に識別番号を付してパッキングする段階でパッキングされる情報媒体に複数の配達依頼者からのものが含まれることを特徴とする情報媒体の配達方法。
【請求項６】
請求項１〜５のいずれかの情報媒体の配達方法において、情報媒体の配達を確認する段階で端末機の位置情報の入手の記録と配達先の既知の位置情報とを照合することを特徴とする情報媒体の配達方法。
【請求項７】
郵便受，新聞受等に情報媒体を投入可能な配達先が整理された配達基礎台帳を作成しておき配達依頼者からの配達依頼に基づいて配達基礎台帳から配達先を特定した配達帳を出力する管理コンピュータと、配達のためパッキングされる情報媒体に付した識別番号が印刷され情報媒体に添付される宛紙と、識別番号の読取りと位置情報の入手とこれ等の記録との機能を備えた携行タイプの端末機とを備え、管理コンピュータは端末機に記録された識別番号の読取りと位置情報の入手の経過を出力させ表示する機能を有していることを特徴とする情報媒体の配達システム。
【請求項８】
請求項７の情報媒体の配達システムにおいて、配達される情報媒体は宛紙を透視可能な透明な袋材でパッキングされていることを特徴とする情報媒体の配達システム。
【請求項９】
請求項７または８の情報媒体の配達システムにおいて、端末機は管理コンピュータから出力された配達帳を入力して表示することができるものであることを特徴とする情報媒体の配達システム。
【発明の詳細な説明】
【技術分野】
【０００１】
本発明は、広告チラシ，情報紙，ＣＤ，ＤＶＤその他商品サンプル等の各種の情報媒体を一般家庭，事業所等の郵便受，新聞受等に投入（投函）する方式による配達に係る技術分野に属する。
【背景技術】
【０００２】
最近、新聞の定期購読者の減少から、新聞の折込みチラシを情報媒体する情報伝達の効率の低下が著しくなっている。このため、新聞配達員とは別の配達員によって情報媒体を戸別に配達することが行われるようになってきている。ただし、情報媒体の配達の事業が社会的に確立されているわけではないため、情報媒体の戸別の配達の確実性，正確性に信頼が得られていないという状況がある。そこで、情報媒体の戸別の配達の確実性，正確性を裏付けることのできる技術の開発が要望されている。
【０００３】
従来、情報媒体の配達の確実性，正確性を裏付けることを指向した技術としては、例えば、以下に記載のものが知られている。
【特許文献１】特開２００３−９５４４１号公報  特許文献１には、情報媒体の荷受から配達までの流通をコンピュータ管理し、配達の際にＧＰＳ（Global Positioning System）を利用して位置情報を入手する情報媒体の配達システムが記載されている。
【０００４】
特許文献１に係る情報媒体の配達システムは、情報媒体のコンピュータ管理において配達処理がなされる際に位置情報を付加することで、情報媒体の配達の確実性，正確性を地理的側面から裏付けるものである。
【発明の開示】
【発明が解決しようとする課題】
【０００５】
特許文献１に係る情報媒体の配達システムでは、特定の宛名のある情報媒体の配達の確実性，正確性が裏付けられるものの、無宛名の大量の情報媒体の戸別の配達にともなう各段階における情報媒体の取扱手段が開示されていないため、無宛名の大量の情報媒体の戸別の配達に適用することができないという問題点がある。
【０００６】
本発明は、このような問題点を考慮してなされたもので、無宛名の大量の情報媒体の戸別の配達に適用することができて配達の確実性，正確性を裏付けることのできる情報媒体の配達方法と、この情報媒体の配達方法を実施するに好適な情報媒体の配達システムとを提供することを課題とする。
【課題を解決するための手段】
【０００７】
前述の課題を解決するため、本発明に係る情報媒体の配達方法は、特許請求の範囲の請求項１〜４に記載の手段を採用する。
【０００８】
即ち、請求項１では、郵便受，新聞受等に情報媒体を投入可能な配達先が整理された配達基礎台帳を作成する段階と、配達依頼者からの配達依頼を受付けて配達基礎台帳から配達先を特定した配達帳を作成する段階と、配達依頼者からの配達依頼を受付けて配達する情報媒体に識別番号を付してパッキングする段階と、識別番号の読取りと位置情報の入手とこれ等の記録との機能を備えた端末機を携行した配達員が配達帳に基づいて各配達先で識別番号の読取りと位置情報の入手とを行ってパッキングされた情報媒体を配達する段階と、端末機に記録された識別番号の読取りと位置情報の入手との記録を出力して情報媒体の配達を確認する段階とを実施することを特徴とする。
【０００９】
この手段では、配達基礎台帳から配達依頼に対応して配達帳を作成して配達員の配達行動を規制する手段を構成しておき、配達員の携行する端末機でパッキングされた情報媒体に付した識別番号の読取りと位置情報の入手を実行する。
【００１０】
また、請求項２では、請求項１の情報媒体の配達方法において、配達帳を作成する段階で配達帳として配達先に配達順位を付した配達順路帳を作成することを特徴とする。
【００１１】
この手段では、配達先に配達順位を付した配達順路帳によって配達員の配達のための移動方向が案内される。
【００１２】
また、請求項３では、請求項１または２の情報媒体の配達方法において、配達基礎台帳を作成する段階で配達先を地域ごとに整理し、配達帳を作成する段階で配達先を地域ごとに特定することを特徴とする。
【００１３】
この手段では、情報媒体の配達の単位として地域を導入することで、無宛名の大量の情報媒体の配達の範囲の選択を容易にする。
【００１４】
また、請求項４では、請求項１〜３のいずれかの情報媒体の配達方法において、情報媒体を配達する段階で識別番号の読取りの際の時刻をも記録することを特徴とする。
【００１５】
この手段では、識別番号の読取りの際の時刻をも記録することで、情報媒体の配達の確実性，正確性を地理的側面に加えて時間的側面からも裏付ける。
【００１６】
また、請求項５では、請求項１〜４のいずれかの情報媒体の配達方法において、情報媒体に識別番号を付してパッキングする段階でパッキングされる情報媒体に複数の配達依頼者からのものが含まれることを特徴とする。
【００１７】
この手段では、複数の配達依頼者からの情報媒体が共通にパッキングされることで、大量の情報媒体の散乱を防止した効率的な配達が可能になる。
【００１８】
また、請求項６では、請求項１〜５のいずれかの情報媒体の配達方法において、情報媒体の配達を確認する段階で端末機の位置情報の入手の記録と配達先の既知の位置情報とを照合することを特徴とする。
【００１９】
この手段では、情報媒体の配達が配達先の位置情報からなる数値情報の照合で確認される。
【００２０】
さらに、前述の課題を解決するため、本発明に係る情報媒体の配達システムは、特許請求の範囲の請求項７〜９に記載の手段を採用する。
【００２１】
即ち、請求項７では、郵便受，新聞受等に情報媒体を投入可能な配達先が整理された配達基礎台帳を作成しておき配達依頼者からの配達依頼に基づいて配達基礎台帳から配達先を特定した配達帳を出力する管理コンピュータと、配達のためパッキングされる情報媒体に付した識別番号が印刷され情報媒体に添付される宛紙と、識別番号の読取りと位置情報の入手とこれ等の記録との機能を備えた携行タイプの端末機とを備え、管理コンピュータは端末機に記録された識別番号の読取りと位置情報の入手の経過を出力させ表示する機能を有していることを特徴とする。
【００２２】
この手段では、配達基礎台帳，配達帳からなる管理項目が設定された管理コンピュータに識別番号の読取りと位置情報の入手とこれ等の記録との機能を備えた端末機を加えたコンピュータ管理システムを構成し、配達される情報媒体に識別番号が印刷された宛紙を添付することで、情報媒体の配達を確実に管理する。
【００２３】
また、請求項８では、請求項７の情報媒体の配達システムにおいて、配達される情報媒体は宛紙を透視可能な透明な袋材でパッキングされていることを特徴とする。
【００２４】
この手段では、情報媒体を透明な袋材でパッキングすることで、宛紙に印刷された識別番号の読取りに支障を及ぼすことなく情報媒体を集合させる。
【００２５】
また、請求項９では、請求項７または８の情報媒体の配達システムにおいて、端末機は管理コンピュータから出力された配達帳を入力して表示することができるものであることを特徴とする。
【００２６】
この手段では、端末機に配達帳を表示しながら情報媒体を配達することで、配達先の地理に不詳の配達員でも正確な配達が可能になる。
【発明の効果】
【００２７】
本発明に係る情報媒体の配達方法は、配達基礎台帳から配達依頼に対応して配達帳を作成して配達員の配達行動を規制する手段を構成しておき、配達員の携行する端末機でパッキングされた情報媒体に付した識別番号の読取りと位置情報の入手を実行するため、無宛名の大量の情報媒体の戸別の配達に適用することができて配達の確実性，正確性を裏付けることができる効果がある。
【００２８】
また。請求項２として、配達先に配達順位を付した配達順路帳によって配達員の配達のための移動方向が案内されるため、配達先の地理に不詳の配達員でも効率的な配達が可能になる効果がある。
【００２９】
また。請求項３として、情報媒体の配達の単位として地域を導入することで、無宛名の大量の情報媒体の配達の範囲の選択を容易にすることができるため、無宛名の大量の情報媒体の戸別の配達への適用の実現性が高くなる効果がある。
【００３０】
また、請求項４として、識別番号の読取りの際の時刻をも記録することで、情報媒体の配達の確実性，正確性を地理的側面に加えて時間的側面からも裏付けることができるため、配達の確実性，正確性を裏付けのレベルが高くなる効果がある。
【００３１】
また、請求項５として、複数の配達依頼者からの情報媒体が共通にパッキングされることで、大量の情報媒体の散乱を防止した効率的な配達が可能になるため、無宛名の大量の情報媒体の戸別の配達への適用の実現性が高くなる効果がある。
【００３２】
また、請求項６として、情報媒体の配達が配達先の位置情報からなる数値情報の照合で確認されるため、情報媒体の配達の確認を迅速，正確に行うことができる効果がある。
【００３３】
さらに、本発明に係る情報媒体の配達システムは、配達基礎台帳，配達帳からなる管理項目が設定された管理コンピュータに識別番号の読取りと位置情報の入手とこれ等の記録との機能を備えた端末機を加えたコンピュータ管理システムを構成し、配達される情報媒体に識別番号が印刷された宛紙を添付することで、情報媒体の配達を確実に管理することができるため、本発明に係る情報媒体の配達方法を容易，確実に実施することができる効果がある。
【００３４】
また、請求項８として、情報媒体を透明な袋材でパッキングすることで、宛紙に印刷された識別番号の読取りに支障を及ぼすことなく情報媒体を集合させることができるため、大量の情報媒体の散乱を防止した効率的な配達が可能になる効果がある。
【００３５】
また、請求項９として、端末機に配達帳を表示しながら情報媒体を配達することで、配達先の地理に不詳の配達員でも正確な配達が可能になるため、配達員に熟練度を要求する必要がなくなる効果がある。
【発明を実施するための最良の形態】
【００３６】
以下、本発明に係る情報媒体の配達方法および配達システムを実施するための最良の形態を図面に基づいて説明する。
【００３７】
この形態は、ハードウエアとして、管理コンピュータ１，端末機２，宛紙３を備えている。
【００３８】
管理コンピュータ１は、図２に示すように、中央処理部（ＣＰＵ）１１，記憶部１２，入力部１３，表示部１４，出力部１５，配達基礎台帳データベース（ＤＢ）１６，依頼受付データベース（ＤＢ）１７，配達順路帳データベース（ＤＢ）１８からなる。中央処理部１１は、制御回路，演算回路，時計回路等を備えたマイクロプロセッサ等からなるもので、管理コンピュータ１の中枢としての機能を奏する。記憶部１２は、読書き可能な半導体記憶装置等からなるもので、基本となるＯＳ（Operating System）に加えていくつかのアプリケーションソフトウエアが記憶されている。アプリケーションソフトとしては、配達基礎台帳データＦ１を作成する配達基礎台帳データ作成ソフトウエアと、依頼受付データＦ２を作成する依頼受付データ作成ソフトウエアと、配達順路帳データＦ３を作成する配達順路帳データ作成ソフトウエアと、配達順路帳データＦ３と後述の配達データＦ５とを比較する配達確認ソフトウエアとがある。入力部１３は、ボタン，スイッチ，キーボード，接続端末装置等からなるもので、中央処理部１１に必要な指示を与えたり外部から必要なデータを取込む。表示部１４は、ディスプレイ，スピーカ等の表示装置からなるもので、必要なデータが画像，音声として表示される。出力部１５は、プリンタや端末機２に接続される接続端末装置からなるもので、必要なデータが外部に出力される。配達基礎台帳データベース１６は、ハードディスク等の補助メモリとして構成されるもので、配達基礎台帳データ作成ソフトウエアで作成された配達基礎台帳データＦ１が記憶される。依頼受付データベース１７は、ハードディスク等の補助メモリとして構成されるもので、依頼受付データ作成ソフトウエアで作成された依頼受付データＦ２が記憶される。配達順路帳データベース（ＤＢ）１８は、ハードディスク等の補助メモリとして構成されるもので、配達順路帳データ作成ソフトウエアで作成された配達順路帳データＦ３が記憶される。
【００３９】
この管理コンピュータ１については、記憶部１２，配達基礎台帳データベース１６，依頼受付データベース１７，配達順路帳データベース１８をハードディスク等に統合したパーソナルコンピュータを利用することができる。
【００４０】
端末機２は、図２に示すように、中央処理部（ＣＰＵ）２１，記憶部２２，入力部２３，表示部２４，出力部２５，ＧＰＳ部２６，スキャナ部２７からなるもので、小型の携行タイプに構成されている。中央処理部２１は、制御回路，演算回路，時計回路等を備えたマイクロプロセッサ等からなるもので、端末機２の中枢としての機能を奏する。記憶部２２は、読書き可能な半導体記憶装置等からなるもので、基本となるＯＳ（Operating System）に加えていくつかのアプリケーションソフトウエアが記憶されている。アプリケーションソフトとしては、ＧＰＳ部２６を制御するＧＰＳ操作ソフトウエアと、スキャナ部２７を制御するスキャナ操作ソフトウエアと、配達データを作成する配達データ作成ソフトウエアとがある。入力部２３は、ボタン，スイッチ，キーボード，接続端末装置等からなるもので、中央処理部２１に必要な指示を与えたり外部から必要なデータを取込む。表示部２４は、ディスプレイ，スピーカ等の表示装置からなるもので、必要なデータが画像，音声として表示される。出力部２５は、プリンタや管理コンピュータ１に接続される接続端末装置からなるもので、必要なデータが外部に出力される。ＧＰＳ部２６は、人工衛星の信号を受けて少なくとも端末機２が位置する経度，緯度を算出する機能を備えている。スキャナ部２７は、光学的手段により少なくともバーコード，ＱＲコード等の識別信号を読取る機能を備えている。
【００４１】
宛紙３は、図８に示すように、配達年月日３１，タイトル３２，配達区域３３，広告３４，識別番号３５，配達責任者表示３６の各欄が一面に印刷された紙からなる。
【００４２】
この形態によると、図１に示すような段階Ｓ１〜Ｓ７が実行される。
【００４３】
段階Ｓ１では、郵便受，新聞受等に情報媒体Ｄを投入可能な配達先Ｈが整理された配達基礎台帳を作成する。
【００４４】
配達基礎台帳は、配達先Ｈとして基本的に全戸を対象とする。全戸の把握については、戸別地図（住宅地図）やその他公開されている戸別情報を利用する。ただし、利用した情報の発行，発信後に空家になったり新たに入居した場合には、その都度最新の配達基礎台帳に更新する。これ等の更新のための情報は、事業者の努力によって入手することになる（事業者が新聞配達店である場合には容易であると考えられる。）。配達先Ｈは、対面配達の形態を採らないことから、単なる車庫，物置等を除外して郵便受，新聞受等に情報媒体Ｄを投入可能な家屋等に限定される。ただし、郵便受，新聞受等としては、単なる家屋の隙間，棚等を含むことになる。また、配達先Ｈは、配達の効率化を図るために、１人の配達員Ｍが徒歩または自転車で１日程度で配達可能な地域ごとに整理される。また、整理された各配達先Ｈには、位置情報（経度，緯度）や地図情報も加えたり、配達順位を付しておくこともできる。
【００４５】
配達基礎台帳の作成では、管理コンピュータ１において配達基礎台帳データ作成ソフトウエアによって配達基礎台帳データＦ１を作成することになる。配達基礎台帳データ作成ソフトウエアは、図３に示すように、配達基礎台帳データＦ１を地域ごとに配達区域Ｆ１ａ，家屋番号Ｆ１ｂ，氏名・名称Ｆ１ｃ，住所Ｆ１ｄの各項目が表示部１４に一覧表形式で表示されるように作成することができる。この配達基礎台帳データＦ１を記憶させることによって、配達基礎台帳データベース１６が作成されることになる。
【００４６】
段階Ｓ２では、配達依頼者からの配達依頼を受付ける。
【００４７】
配達依頼の受付けは、配達日，配達区域，配達する情報媒体Ｄを特定する。受付け可能な配達日については、通常翌日以降となるが事業者の事業遂行能力によっては即日とすることに支障はない。また、受付け可能な配達区域については、事業者の事業遂行能力によるが全国，全世界を対象とすることに支障はない。なお、配達区域内では、全戸ではなく一軒おき等のように戸数を限定することも可能である。また、受付け可能な情報媒体Ｄについては、郵便受，新聞受等に投入可能なものである広告チラシ，情報紙，ＣＤ，ＤＶＤその他商品サンプル等の薄性物に限定される。
【００４８】
配達依頼の受付けでは、管理コンピュータ１において依頼受付データ作成ソフトウエアによって依頼受付データＦ２を作成することになる。依頼受付データ作成ソフトウエアは、図５に示すように、依頼受付データＦ２を受付の日付，顧客名等Ｆ２ａが表示部１４に一覧表形式で表示されるように作成することができる。なお、配達区域（指定区域）の入力の際には、表示部１４に別のウインドＦ２ｂが開かれて配達区域をチェックするボタンＦ２ｃと必要な枚数Ｆ２ｄとが表示されるようになっている。この依頼受付データＦ２を記憶させることによって、依頼受付データベース１７が作成されることになる。なお、受付の日付，顧客名等Ｆ２ａに金額の欄をも設けておき、依頼受付データベース１７から請求書等を作成することもできる。
【００４９】
段階Ｓ３では、配達依頼者からの配達依頼を受付けた後、配達基礎台帳から配達先Ｈを特定した配達帳を作成する。
【００５０】
配達帳は、配達依頼者からの配達依頼に応じて配達先Ｈを配達日，配達区域ごとに特定して配達基礎台帳を加工して作成される。
【００５１】
即ち、予め配達基礎台帳を作成しておくことで、各配達依頼者からの配達依頼に応じて迅速に配達帳を作成することができる。
【００５２】
配達帳の作成では、管理コンピュータ１において配達順路帳データ作成ソフトウエアによって配達先Ｈに配達順位を付した配達順路帳データＦ３を作成することになる。即ち、配達依頼の受付けの締切り後に、依頼受付データベース１７に記憶されている必要な配達日の依頼受付データベース１７に基づいて、配達基礎台帳データベース１６に記憶されている配達基礎台帳データＦ１を加工して配達順路帳データＦ３を作成する。配達順路帳データ作成ソフトウエアは、図６に示すように、配達区域Ｆ３ａごとに配達順Ｆ３ｂに沿って氏名・名称Ｆ３ｃが整理され表示部１４に帳票形式で表示されるように作成することができる。なお、配達先Ｈが集合住宅の場合には、部屋番号Ｆ３ｄをも表示するようにしておくと便利である。また、配達先Ｈの位置情報も含まれるようにする。この配達順路帳データＦ３を記憶させることによって、配達順路帳データベース１８が作成されることになる。
【００５３】
段階Ｓ４では、配達日に配達員Ｍの配達区域に対応した管理コンピュータ１から配達順路帳データＦ３を出力する。管理コンピュータ１から出力された配達順路帳データＦ３は、端末機２に入力される。
【００５４】
管理コンピュータ１から端末機２への達順路帳データＦ３の送信は、図２に示すように、管理コンピュータ１の出力部１５と端末機２の入力部２３とを有線，無線で接続して行われる。端末機２に入力された配達順路帳データＦ３は、記憶部２２に記憶されて必要に応じて表示部２４に表示される。
【００５５】
段階Ｓ５では、図８に示すように、複数の配達依頼者から配達依頼されそれぞれ搬入された情報媒体Ｄを宛紙３を含めて１つにパッキングする。パッキングには、宛紙３を透視可能な透明の袋材Ｐが使用される。袋材Ｐは、扁平な筒形に形成された本体部Ｐａに情報媒体Ｄ，宛紙３を収納した後に熱溶着等でシール部Ｐｂを形成することで袋体となる。袋体に収蔵された格好の情報媒体Ｄは、形状，大きさが異なっても以後の散乱，散逸が防止される。なお、宛紙３の識別番号３５には、端末機２のスキャナ部２７で読取り可能なバーコード，ＱＲコード等が順番号またはアトランダムの番号で印刷される。また、宛紙３の配達責任者表示３６には、配達の事業主体等が印刷される。
【００５６】
この段階Ｓ５については、段階Ｓ４と同時進行が可能である。
【００５７】
情報媒体Ｄのパッキングでは、図３に示すように、管理コンピュータ１の依頼受付データベース１７に記憶されている依頼受付データＦ２から当日配達する複数の配達依頼者から配達依頼された情報媒体Ｄを配達区域ごとに作成されたパッキングリストＦ４に基づいて行われる。パッキングリストＦ４には、配達区域Ｆ４ａ，パッキングすべき情報媒体Ｄの名称等が順番に表示される。
【００５８】
段階Ｓ６では、端末機２を携行した配達員Ｍが配達帳に基づいて各配達先Ｈで宛紙３の識別番号３５の読取りと位置情報の入手とを行ってパッキングされた情報媒体Ｄを配達する。配達帳として提供される配達先Ｈの配達順位が付された配達順路帳は、配達のための移動方向が案内されるため、配達先Ｈの地理に不詳の配達員Ｍでも効率的な配達が可能になる。また、端末機２の表示部２４に配達帳であるを配達順路帳表示することで、配達先Ｈの地理に不詳の配達員Ｍでも正確な配達が可能になる。従って、配達員Ｍに熟練度を要求する必要がなくなる。
【００５９】
配達員Ｍは、図９に示すように、配達順路帳データＦ３が入力された端末機２の入力部２３から配達開始操作（配達者名の入力を含む）を行って、端末機２を携行して配達に出発する。端末機２の入力部２３からの配達開始操作は、記憶部２２に記憶されているスキャナ操作ソフトウエアを自動的に起動する。そして、配達先Ｈで１つのパッキングされた情報媒体Ｄを取出して、宛紙３の識別番号３５を端末機２のスキャナ部２７で読取った後に、郵便受，新聞受等に投入（投函）する。スキャナ操作ソフトウエアは、スキャナ部２７での読取りの際にＧＰＳ操作ソフトウエアを自動的に起動して位置情報を入手する。
【００６０】
各配達先Ｈで読取られた宛紙３の識別番号３５と入手された位置情報とは、スキャナ部２７で読取った時間である配達時間とともに配達データ作成ソフトウエアによって配達データＦ５として作成されて端末機２の記憶部２２に記憶される。
【００６１】
配達員Ｍは、配達の完了後に、出発地に戻ってから端末機２の入力部２３から配達終了操作を行う。
【００６２】
なお、配達データＦ５は、配達区域Ｆ５ａ，配達員名（配達者）Ｆ５ｂ，配達回数（配達先Ｈ数）Ｆ５ｃ，パッキング番号（宛紙３の識別番号３５）Ｆ５ｅ，位置情報Ｆ５ｆ，配達開始時間Ｆ５ｇ，配達終了時間Ｆ５ｈを一覧表形式で表示可能に作成される。配達開始時間Ｆ５ｇ，配達終了時間Ｆ５ｈは、配達員Ｍによる配達開始操作，配達終了操作によって入力されるもので、賃金計算等の労務管理に使用される。
【００６３】
段階Ｓ７では、端末機２に記録された宛紙３の識別番号３５の読取りと位置情報の入手との記録を出力して情報媒体Ｄの配達を確認する。
【００６４】
配達の確認では、端末機２の出力部２５と管理コンピュータ１の入力部１３とを有線，無線で接続して、配達データＦ５の送信を行うことになる。管理コンピュータ１に入力された配達データＦ５は、図１１に示すように、配達確認ソフトウエアによって配達順路帳データＦ３と比較される。即ち、配達順路帳データＦ３に記憶されている配達作Ｈの位置情報と配達データＦ５の入手された位置情報とが比較され、数値情報から迅速，正確な対比が行われる。そして、配達漏れがあった場合には、補充配達が実施される。なお、管理コンピュータ１の表示部１４に地図を表示して、位置情報から配達漏れの配達先Ｈを表示するようにすると便利である。
【００６５】
この形態によると、配達基礎台帳から配達依頼に対応して配達帳を作成して配達員Ｍの配達行動を規制する手段を構成しておき、配達員Ｍの携行する端末機２でパッキングされた情報媒体Ｄに宛紙３を介して付した識別番号３５の読取りと位置情報の入手を実行するため、無宛名の大量の情報媒体Ｄの戸別の配達に適用することができる。そして、端末機２における記録から配達の確実性，正確性を裏付けることができる。
【００６６】
また、配達基礎台帳，配達帳からなる管理項目が設定された管理コンピュータ１に識別番号３５の読取りと位置情報の入手とこれ等の記録との機能を備えた端末機２を加えたコンピュータ管理システムを構成し、配達される情報媒体Ｄに識別番号３５が印刷された宛紙３を添付するため、情報媒体Ｄの配達を確実に管理することができる。
【００６７】
以上、図示した形態の外に、配達帳を紙に出力してプリントしたものを配達員に携行させることもできる。また、配達帳を配達順路帳を簡素化した内容のものとすることも可能である。
【００６８】
さらに、配達の確認の際に、配達順路帳データＦ３の配達順Ｆ３ｂの総数と配達データＦ５の配達回数Ｆ５ｃの総数との単純な対比とすることもできる。また、配達員Ｍが熟練者の場合には、配達帳を管理コンピュータ１で閲覧するだけで済ますこともできる。
【図面の簡単な説明】
【００６９】
【図１】本発明に係る情報媒体の配達方法および配達を実施するための最良の形態の作業の段階の流れを示す図である。
【図２】図１のハードウエアの構成図である。
【図３】図１の一部段階の詳細図である。
【図４】図１で作成される配達基礎台帳データの表示図である。
【図５】図１で作成される配達依頼データの表示図である。
【図６】図１で作成される配達順路帳データの表示図である。
【図７】図１で作成されるパッキングリストの表示図である。
【図８】図１で実施される情報媒体のパッキング作業の正面図である。
【図９】図１の他の一部段階の詳細図である。
【図１０】図１で作成される配達データの表示図である。
【図１１】図１のさらに他の一部段階の詳細図である。
【符号の説明】
【００７０】
１            管理コンピュータ
１６          配達基礎台帳データベース（ＤＢ）
１７          配達依頼データベース（ＤＢ）
１８          配達順路帳データベース（ＤＢ）
２            端末機
２６          ＧＰＳ部
２７          スキャナ部
３            宛紙
３５          識別番号
Ｄ            情報媒体
Ｆ１          配達基礎台帳データ
Ｆ２          配達依頼データ
Ｆ３          配達順路帳データ
Ｆ５          配達データ
Ｐ            袋材
【図１】
2010023930.tif 000003
【図２】
2010023930.tif 000004
【図３】
2010023930.tif 000005
【図４】
2010023930.tif 000006
【図５】
2010023930.tif 000007
【図６】
2010023930.tif 000008
【図７】
2010023930.tif 000009
【図８】
2010023930.tif 000010
【図９】
2010023930.tif 000011
【図１０】
2010023930.tif 000012
【図１１】
2010023930.tif 000013